(57)【要約】【課題】建物内への侵入をより確実に防止することが可能な防犯装置を提供する。【解決手段】防犯装置１０１は、対象者の使用する建物内に設置され、建物内への第三者の侵入を未然に防ぐ。防犯装置１０１は、対象者の影Ｓの画像を記憶するための記憶部１３と、記憶部１３によって記憶された画像を建物内の対象エリアＣＴに映し出すことにより、画像を建物外から視認可能とするための画像出力部２１とを備える。【選択図】図１
2012174010.tif 000002
【特許請求の範囲】
【請求項１】
対象者の使用する建物内に設置され、前記建物内への第三者の侵入を未然に防ぐための防犯装置であって、
前記対象者の影の画像を記憶するための記憶部と、
前記記憶部によって記憶された前記画像を前記建物内の対象エリアに映し出すことにより、前記画像を前記建物外から視認可能とするための画像出力部とを備える、防犯装置。
【請求項２】
前記記憶部は、前記対象エリアに映る前記対象者の影を前記建物内において撮影することにより得られた画像を記憶する、請求項１に記載の防犯装置。
【請求項３】
前記防犯装置は、さらに、
撮影することにより得られた前記画像から、前記対象者の影と前記影以外の部分とで２色に分けられた画像を生成し、前記記憶部に保存するための画像処理部を備える、請求項２に記載の防犯装置。
【請求項４】
前記記憶部は、一定期間撮影された前記対象者の影の動画を記憶する、請求項１から請求項３のいずれか１項に記載の防犯装置。
【請求項５】
前記防犯装置は、さらに、
前記一定期間を複数の期間に分割し、分割した期間に対応する各前記動画を組み合わせた動画を生成し、前記記憶部に保存するための画像処理部を備える、請求項４に記載の防犯装置。
【請求項６】
前記記憶部は、前記対象者の影が複数現れる画像、または前記対象者を含む複数人の影が現れる画像を記憶する、請求項１から請求項５のいずれか１項に記載の防犯装置。
【請求項７】
前記画像出力部は、前記画像の表示倍率を変化させて前記対象エリアに映し出す、請求項１から請求項６のいずれか１項に記載の防犯装置。
【請求項８】
前記画像出力部は、設定された時刻において前記画像の映し出しを終了することが可能である、請求項１から請求項７のいずれか１項に記載の防犯装置。
【請求項９】
前記画像出力部は、前記建物内の照明と前記対象エリアとの間に設置され、前記照明から照射された光の透過箇所および非透過箇所を変更することにより前記画像を前記対象エリアに映し出す、請求項１から請求項８のいずれか１項に記載の防犯装置。
【発明の詳細な説明】
【技術分野】
【０００１】
本発明は、防犯装置に関し、特に、画像を用いた防犯装置に関する。
【背景技術】
【０００２】
一人暮らし、中でも女性の一人暮らしの場合には、居住者が在宅しているかどうかの情報が外から確認できると防犯上好ましくない。
【０００３】
このような問題点を解決するための技術として、住人および職員の気配を演出して外部から在室のように見せ、空き巣等の侵入を防止するための防犯装置が、特開平１１−１３４５６９号公報（特許文献１）に開示されている。すなわち、外部からはあたかも家人または職員が在室しているように窺える在室演出を行なう１種類または複数種類の在室演出手段と、この在室演出手段を制御する制御手段と、この制御手段にプログラムを入力するプログラム入力手段とを備え、在室状態を偽装して居住家屋または事務所への侵入者の侵入を防止する。そして、上記在室演出手段はプロジェクタ等で構成され偽装した人影を窓またはカーテンに投影する人影投影手段である。
【先行技術文献】
【特許文献】
【０００４】
【特許文献１】特開平１１−１３４５６９号公報
【発明の概要】
【発明が解決しようとする課題】
【０００５】
しかしながら、特許文献１に記載の防犯装置は、プロジェクタで単に人影を作り出して窓およびカーテンに映し出すだけの構成である。このような特許文献１に記載の防犯装置を超えて、建物内への侵入をより確実に防止する技術が望まれる。
【０００６】
この発明は、上述の課題を解決するためになされたもので、その目的は、建物内への侵入をより確実に防止することが可能な防犯装置を提供することである。
【課題を解決するための手段】
【０００７】
上記課題を解決するために、この発明のある局面に係わる防犯装置は、対象者の使用する建物内に設置され、上記建物内への第三者の侵入を未然に防ぐための防犯装置であって、上記対象者の影の画像を記憶するための記憶部と、上記記憶部によって記憶された上記画像を上記建物内の対象エリアに映し出すことにより、上記画像を上記建物外から視認可能とするための画像出力部とを備える。
【０００８】
このような構成により、映し出す影の現実度を高め、建物内に使用者が存在するという印象を第三者に強く与えることができる。したがって、建物内への侵入をより確実に防止することができる。
【０００９】
好ましくは、上記記憶部は、上記対象エリアに映る上記対象者の影を上記建物内において撮影することにより得られた画像を記憶する。
【００１０】
このような構成により、実際に対象エリアに映し出される影により近い影を映し出すことができるため、防犯効果をさらに高めることができる。
【００１１】
より好ましくは、上記防犯装置は、さらに、撮影することにより得られた上記画像から、上記対象者の影と上記影以外の部分とで２色に分けられた画像を生成し、上記記憶部に保存するための画像処理部を備える。
【００１２】
このような構成により、簡易な画像処理で対象者の影の画像を作成することができる。
【００１３】
好ましくは、上記記憶部は、一定期間撮影された上記対象者の影の動画を記憶する。
【００１４】
このような構成により、対象者の実際の行動に即した影を映し出すことができるため、防犯効果をさらに高めることができる。
【００１５】
より好ましくは、上記防犯装置は、さらに、上記一定期間を複数の期間に分割し、分割した期間に対応する各上記動画を組み合わせた動画を生成し、上記記憶部に保存するための画像処理部を備える。
【００１６】
このような構成により、一定期間の動画を用いて多種類のパターンの動画を生成することができる。
【００１７】
好ましくは、上記記憶部は、上記対象者の影が複数現れる画像、または上記対象者を含む複数人の影が現れる画像を記憶する。
【００１８】
このような構成により、建物の使用者が複数である場合でも、防犯効果を得ることができる。また、来客を演出し、防犯効果をより高めることができる。
【００１９】
好ましくは、上記画像出力部は、上記画像の表示倍率を変化させて上記対象エリアに映し出す。
【００２０】
このような構成により、影の動画を表示する構成、および画像出力部を動かして影の大小を変化させる構成と比べて、簡易な構成で使用者の行動を模擬することができ、防犯効果を高めることができる。
【００２１】
好ましくは、上記画像出力部は、設定された時刻において上記画像の映し出しを終了することが可能である。
【００２２】
このような構成により、実際の居住者の生活パターンをさらに正確に演出することができ、防犯効果を高めることができる。
【００２３】
好ましくは、上記画像出力部は、上記建物内の照明と上記対象エリアとの間に設置され、上記照明から照射された光の透過箇所および非透過箇所を変更することにより上記画像を上記対象エリアに映し出す。
【００２４】
このような構成により、光出力部が不要となり、装置構成の簡易化を図ることができる。また、照明からの光を用いる構成により、実際の影により近い影を対象エリアに映し出すことができるため、防犯効果をさらに高めることができる。
【発明の効果】
【００２５】
本発明によれば、建物内への侵入をより確実に防止することができる。
【図面の簡単な説明】
【００２６】
【図１】本発明の第１の実施の形態に係る防犯装置の構成を示す図である。
【図２】本発明の第１の実施の形態に係る防犯装置によって人影がカーテンに映し出されている状態を示す図である。
【図３】本発明の第１の実施の形態に係る防犯装置による画像撮影を示す図である。
【図４】本発明の第１の実施の形態に係る防犯装置の操作画面を示す図である。
【図５】本発明の第２の実施の形態に係る防犯装置の構成を示す図である。
【図６】本発明の第２の実施の形態に係る防犯装置の変形例の構成を示す図である。
【発明を実施するための形態】
【００２７】
以下、本発明の実施の形態について図面を用いて説明する。なお、図中同一または相当部分には同一符号を付してその説明は繰り返さない。
【００２８】
＜第１の実施の形態＞
［構成および基本動作］
【００２９】
図１は、本発明の第１の実施の形態に係る防犯装置の構成を示す図である。図２は、本発明の第１の実施の形態に係る防犯装置によって人影がカーテンに映し出されている状態を示す図である。
【００３０】
図１および図２を参照して、防犯装置１０１は、対象者の使用する建物Ｂ内に設置され、建物Ｂ内への第三者の侵入を未然に防ぐ。すなわち、防犯装置１０１は、建物Ｂにおける部屋Ｒに設置され、たとえばカーテンＣＴに影Ｓを映し出すことにより、建物Ｂの外から窓Ｗを見た第三者に対して、建物Ｂ内に人がいると錯覚させる。
【００３１】
防犯装置１０１は、画像出力部２１と、コントローラ（記憶部および画像処理部）１３と、撮像部１４とを備える。画像出力部２１は、光出力部１１と、液晶フィルタ１２とを含む。
【００３２】
コントローラ１３は、対象者たとえば建物Ｂの居住者Ｈの影の画像を記憶する。
【００３３】
画像出力部２１は、コントローラ１３によって記憶された画像を建物Ｂ内の対象エリアたとえばカーテンＣＴに映し出すことにより、画像を建物Ｂ外から視認可能とする。
【００３４】
画像出力部２１において、光出力部１１は、コントローラ１３からの制御に従い、液晶フィルタ１２へ光を照射する。
【００３５】
液晶フィルタ１２は、コントローラ１３からの制御に従い、液晶フィルタ１２から照射された光の透過箇所および非透過箇所を変更することにより、カーテンＣＴに影Ｓを映し出す。
【００３６】
また、画像出力部２１は、コントローラ１３からの制御に基づいて、設定された時刻において画像の映し出しを終了することが可能である。
【００３７】
また、コントローラ１３は、部屋Ｒの照明１６のオン・オフを制御することが可能である。たとえば、コントローラ１３は、上記設定時刻において、影Ｓの映し出しを終了するとともに、照明１６をオフする。
【００３８】
なお、コントローラ１３から各部に対する制御は、同軸ケーブル、ＬＡＮ（Local Area Network）ケーブルおよび電力線等を用いた有線通信によって行われてもよいし、無線通信によって行われてもよい。
【００３９】
図３は、本発明の第１の実施の形態に係る防犯装置による画像撮影を示す図である。
【００４０】
図３を参照して、コントローラ１３は、対象エリアに映る居住者Ｈの影を建物Ｂ内において撮影することにより得られた画像を記憶する。
【００４１】
より詳細には、カーテンＣＴの前に、たとえば居住者Ｈがいる状態において、撮像部１４は、照明１６から照射された光によってカーテンＣＴに映し出される影Ｓを撮影する。
【００４２】
コントローラ１３は、撮像部１４によって撮影された画像を取得し、記憶する。そして、コントローラ１３は、記憶した画像を示す信号を液晶フィルタ１２へ出力する。
【００４３】
液晶フィルタ１２は、コントローラ１３から受けた信号が示す画像に基づいて、カーテンＣＴに影Ｓを映し出す。
【００４４】
たとえば、コントローラ１３は、撮像部１４が撮影することにより得られた画像から、居住者Ｈの影と影以外の部分とで２色に分けられた画像を生成し、コントローラ１３に保存する。具体的には、コントローラ１３は、影部分が黒色であり、他の部分が白色である画像を生成する。
【００４５】
また、防犯装置１０１は、居住者Ｈの行動を撮影しておき、影ＳとしてカーテンＣＴに映し出す構成であってもよい。すなわち、コントローラ１３は、撮像部１４によって一定期間撮影された居住者Ｈの影の動画を記憶する。
【００４６】
たとえば、コントローラ１３は、一定期間を複数の期間に分割し、分割した期間に対応する各動画を組み合わせた動画を生成し、記憶する。
【００４７】
図４は、本発明の第１の実施の形態に係る防犯装置の操作画面を示す図である。
【００４８】
図４を参照して、コントローラ１３は、パーソナルコンピュータ（ＰＣ）１５を制御することにより、パーソナルコンピュータ１５に防犯装置１０１の操作画面を表示し、また、当該操作画面におけるユーザの操作を受け付ける。
【００４９】
具体的には、ユーザは、操作画面における「ＯＮ」ボタンおよび「ＯＦＦ」ボタンを押下することにより、防犯装置１０１による影Ｓの表示をオン／オフすることができる。
【００５０】
また、コントローラ１３は、撮像部１４によって撮影された画像に基づいて、居住者Ｈの影が複数現れる画像、または居住者Ｈを含む複数人の影が現れる画像を生成し、記憶する。
【００５１】
具体的には、ユーザは、操作画面において追加人数を入力することにより、影Ｓとして複数人分の影を同時にカーテンＣＴに映し出すことができる。この場合、防犯装置１０１は、居住者Ｈの影を複数映し出してもよいし、居住者Ｈとは別人の影、たとえば建物Ｂの他の居住者を追加で映し出してもよい。
【００５２】
また、ユーザは、操作画面におけるズーム「＋」ボタンおよび「−」ボタンを押下することにより、影Ｓを拡大または縮小することができる。
【００５３】
なお、このようなズームボタンを用いる構成に限らず、コントローラ１３が自動で影Ｓのサイズを調整する構成であってもよい。たとえば、画像出力部２１は、コントローラ１３の制御に基づいて、画像の表示倍率を変化させてカーテンＣＴに映し出す。
【００５４】
また、ユーザは、操作画面における「不在」ボタンを押下することにより、時刻によって影Ｓの表示の有無および影Ｓの表示内容を変化させる等、防犯装置１０１に自動で影Ｓの表示を行なわせることができる。
【００５５】
また、図１に示すように、ユーザは、上記操作画面と同様の画面を携帯端末８１の画面に表示し、携帯端末８１を操作することにより、当該操作の内容を示す制御信号をネットワーク８２経由でコントローラ１３へ送信し、防犯装置１０１を操作することが可能である。
【００５６】
ところで、特許文献１に記載の防犯装置は、プロジェクタで単に人影を作り出して窓およびカーテンに映し出すだけの構成である。このような特許文献１に記載の防犯装置を超えて、建物内への侵入をより確実に防止する技術が望まれる。
【００５７】
本発明の第１の実施の形態に係る防犯装置では、コントローラ１３は、対象者の影の画像を記憶する。そして、画像出力部２１は、コントローラ１３によって記憶された画像を建物Ｂ内の対象エリアに映し出すことにより、画像を建物Ｂ外から視認可能とする。
【００５８】
このような構成により、映し出す影の現実度を高め、建物内に使用者が存在するという印象を第三者に強く与えることができる。したがって、建物内への侵入をより確実に防止することができる。
【００５９】
また、本発明の第１の実施の形態に係る防犯装置では、コントローラ１３は、対象エリアに映る対象者の影を建物Ｂ内において撮影することにより得られた画像を記憶する。
【００６０】
このような構成により、実際に対象エリアに映し出される影により近い影を映し出すことができるため、防犯効果をさらに高めることができる。
【００６１】
また、本発明の第１の実施の形態に係る防犯装置では、コントローラ１３は、撮影することにより得られた対象者の画像から、対象者の影と影以外の部分とで２色に分けられた画像を生成し、保存する。
【００６２】
このような構成により、簡易な画像処理で対象者の影の画像を作成することができる。
【００６３】
また、本発明の第１の実施の形態に係る防犯装置では、コントローラ１３は、一定期間撮影された対象者の影の動画を記憶する。
【００６４】
このような構成により、対象者の実際の行動に即した影を映し出すことができるため、防犯効果をさらに高めることができる。
【００６５】
また、本発明の第１の実施の形態に係る防犯装置では、コントローラ１３は、上記一定期間を複数の期間に分割し、分割した期間に対応する各動画を組み合わせた動画を生成し、保存する。
【００６６】
このような構成により、一定期間の動画を用いて多種類のパターンの動画を生成することができる。
【００６７】
また、本発明の第１の実施の形態に係る防犯装置では、コントローラ１３は、対象者の影が複数現れる画像、または対象者を含む複数人の影が現れる画像を記憶する。
【００６８】
このような構成により、建物の使用者が複数である場合でも、防犯効果を得ることができる。また、来客を演出し、防犯効果をより高めることができる。
【００６９】
また、本発明の第１の実施の形態に係る防犯装置では、画像出力部２１は、画像の表示倍率を変化させて対象エリアに映し出す。
【００７０】
このような構成により、影の動画を表示する構成、および液晶フィルタ１２を動かして影の大小を変化させる構成と比べて、簡易な構成で使用者の行動を模擬することができ、防犯効果を高めることができる。
【００７１】
また、本発明の第１の実施の形態に係る防犯装置では、画像出力部２１は、設定された時刻において画像の映し出しを終了することが可能である。
【００７２】
このような構成により、実際の居住者の生活パターンをさらに正確に演出することができ、防犯効果を高めることができる。
【００７３】
なお、本発明の第１の実施の形態に係る防犯装置では、カーテンＣＴに影Ｓを映し出す構成であるとしたが、これに限定するものではない。影Ｓを映し出す場所は、カーテンＣＴに限らず、外部から影を視認可能な場所であれば、どのような場所であってもよい。
【００７４】
また、本発明の第１の実施の形態に係る防犯装置では、液晶フィルタ１２を用いる構成であるとしたが、液晶フィルタに限らず、たとえば、電圧または電流等で配光状態を制御可能な素子が、フィルム状部材または板状部材の間に挟まれた表示部材であればよい。
【００７５】
次に、本発明の他の実施の形態について図面を用いて説明する。なお、図中同一または相当部分には同一符号を付してその説明は繰り返さない。
【００７６】
＜第２の実施の形態＞
本実施の形態は、第１の実施の形態に係る防犯装置と比べて投影方法を変更した防犯装置に関する。以下で説明する内容以外は第１の実施の形態に係る防犯装置と同様である。
【００７７】
図５は、本発明の第２の実施の形態に係る防犯装置の構成を示す図である。
【００７８】
図５を参照して、防犯装置１０２は、本発明の第１の実施の形態に係る防犯装置と比べて、画像出力部３１と、コントローラ（記憶部および画像処理部）１３と、撮像部１４とを備える。
【００７９】
画像出力部３１は、照明１６の近傍かつ照明１６とカーテンＣＴとの間に設置され、コントローラ１３からの制御に従い、照明１６から照射された光の透過箇所および非透過箇所を変更することにより、カーテンＣＴに影Ｓを映し出す。
【００８０】
このような構成により、防犯装置１０１と比べて光出力部１１が不要となり、装置構成の簡易化を図ることができる。また、照明１６からの光を用いる構成により、実際の影により近い影をカーテンＣＴに映し出すことができるため、防犯効果をさらに高めることができる。
【００８１】
図６は、本発明の第２の実施の形態に係る防犯装置の変形例の構成を示す図である。
【００８２】
図６を参照して、防犯装置１０２は、本発明の第１の実施の形態に係る防犯装置と比べて、画像出力部３２と、コントローラ（記憶部および画像処理部）１３と、撮像部１４とを備える。
【００８３】
画像出力部３２は、カーテンＣＴの近傍かつ照明１６カーテンＣＴとの間に設置され、コントローラ１３からの制御に従い、照明１６から照射された光の透過箇所および非透過箇所を変更することにより、カーテンＣＴに影Ｓを映し出す。
【００８４】
このような構成により、防犯装置１０１と比べて光出力部１１が不要となり、装置構成の簡易化を図ることができる。また、照明１６からの光を用いる構成により、実際の影により近い影をカーテンＣＴに映し出すことができるため、防犯効果をさらに高めることができる。
【００８５】
また、図５に示す防犯装置では、カーテンＣＴと画像出力部３１との間が比較的離れているため、カーテンＣＴに映る影Ｓの角度および大きさ等を調整するために、画像出力部３１に対して細かな制御が必要となる。これに対して、図６に示す防犯装置では、画像出力部３２がカーテンＣＴの近傍に設置されるため、カーテンＣＴに映る影Ｓの角度および大きさ等の調整が容易となり、コントローラ１３からの画像出力部３２に対する制御を簡易化することができる。
【００８６】
但し、図５に示す防犯装置では、図６に示す防犯装置と比べて、画像出力部のサイズを小さくすることができる。
【００８７】
その他の構成および動作は第１の実施の形態に係る防犯装置と同様であるため、ここでは詳細な説明を繰り返さない。
【００８８】
上記実施の形態は、すべての点で例示であって制限的なものではないと考えられるべきである。本発明の範囲は、上記説明ではなく特許請求の範囲によって示され、特許請求の範囲と均等の意味および範囲内でのすべての変更が含まれることが意図される。
【符号の説明】
【００８９】
１１  光出力部
１２  液晶フィルタ
１３  コントローラ（記憶部および画像処理部）
１４  撮像部
１５  パーソナルコンピュータ
１６  照明
２１，３１，３２  画像出力部
８１  携帯端末
８２  ネットワーク
１０１，１０２  防犯装置
Ｒ  部屋
ＣＴ  カーテン
Ｓ  影
Ｂ  建物
Ｗ  窓
Ｈ  居住者
【図１】
2012174010.tif 000003
【図２】
2012174010.tif 000004
【図３】
2012174010.tif 000005
【図４】
2012174010.tif 000006
【図５】
2012174010.tif 000007
【図６】
2012174010.tif 000008